(57)【要約】【課題】取得した複数の画像情報に対応する画像が形成される記録媒体の量を抑制できる画像通信装置を提供する。【解決手段】画像通信装置は、画像を一意に特定する識別情報と画像の返信先を示す情報とが記録された符号画像を含む画像情報を送信する一つ以上の他の画像通信装置から送信される複数の画像情報を取得する取得手段と、複数の画像情報から符号画像を消去するとともに、複数の画像情報のそれぞれの識別情報に対応する新たな一つの識別情報が記録された符号画像を含み複数の画像情報を結合した一つの画像情報を生成する生成手段とを備える。【選択図】図３
2011061532.tif 000002
【特許請求の範囲】
【請求項１】
画像を一意に特定する識別情報と画像の返信先を示す情報とが記録された符号画像を含む画像情報を送信する一つ以上の他の画像通信装置から送信される複数の前記画像情報を取得する取得手段と、
前記複数の画像情報から前記符号画像を消去するとともに、前記複数の画像情報のそれぞれの識別情報に対応する新たな一つの識別情報が記録された符号画像を含み前記複数の画像情報を結合した一つの画像情報を生成する生成手段と、
を有することを特徴とする画像通信装置。
【請求項２】
前記生成手段は、
前記複数の画像情報のそれぞれに含まれる前記識別情報に対応して新たな一つの識別情報を生成し、当該識別情報が記録された符号画像を生成する第１の生成手段と、
前記複数の画像情報のそれぞれから元の前記符号画像を消去する消去手段と、
前記消去手段によって前記符号画像が消去された後の前記複数の画像情報を結合し前記第１の生成手段によって生成された符号画像を含む一つの画像情報を生成する第２の生成手段と、
を有することを特徴とする請求項１に記載の画像通信装置。
【請求項３】
前記第２の生成手段によって生成され前記一つの画像情報と前記複数の画像情報との対応関係を示す情報を記憶する記憶手段、を更に有し、
前記第２の生成手段は、
前記第１の生成手段によって生成された前記識別情報と、前記複数の画像情報のそれぞれに対応する元の前記識別情報と、前記複数の画像情報のそれぞれに対応する前記画像の返信先を示す情報と、前記一つの画像情報における前記複数の画像情報のそれぞれの範囲を示す情報とを、前記対応関係を示す情報として前記記憶手段に記憶する、
ことを特徴とする請求項２に記載の画像通信装置。
【請求項４】
前記第２の生成手段によって生成され前記一つの画像情報と前記複数の画像情報との対応関係を示す情報を記憶する記憶手段、を更に有し、
前記生成手段は、
前記複数の画像情報を解析し重複する項目を検出する検出手段と、
前記検出手段によって検出された重複する項目にかかわる同一の項目に関し一つの項目のみを残し他の項目については削除する削除手段と、を更に有し、
前記第２の生成手段は、
前記第１の生成手段によって生成された前記識別情報と、前記複数の画像情報のそれぞれに対応する元の前記識別情報と、前記複数の画像情報のそれぞれに対応する前記画像の返信先を示す情報と、前記一つの画像情報における前記複数の画像情報のそれぞれの範囲を示す情報および前記検出手段によって検出された重複する項目の位置を示す情報とを、前記対応関係を示す情報として前記記憶手段に記憶する、
ことを特徴とする請求項２に記載の画像通信装置。
【請求項５】
前記第２の生成手段によって生成された前記一つの画像情報に基づいて記録媒体に画像を形成し、当該記録媒体を出力する出力手段と、
前記出力手段から出力された後に入力情報が記述された記録媒体の画像を取り込んで得られる画像情報を、前記記憶手段の記憶内容を基に前記複数の画像情報に対応しこれらの元の前記識別情報が記録された符号画像を含む複数の画像情報に分割する分割手段と、
前記分割手段によって分割された複数の画像情報をそれぞれに対応する返信先へ送信する送信手段と、
を更に有することを特徴とする請求項２〜４の何れか一項に記載の画像通信装置。
【請求項６】
画像を一意に特定する識別情報と画像の返信先を示す情報とが記録された符号画像を含む画像情報を送信する一つ以上の第１の画像通信装置と、
前記一つ以上の第１の画像通信装置から送信される複数の前記画像情報を取得し予め定められる情報処理を実行する請求項１から請求項５の何れか一項に記載の画像通信装置としての第２の画像通信装置と、
を有することを特徴とする画像伝送システム。
【請求項７】
通信回線を介して接続される一つ以上の画像通信装置から送信され、画像を一意に特定する識別情報と画像の返信先を示す情報とが記録された符号画像を含む複数の画像情報を取得する取得処理過程と、
前記取得処理過程により取得された前記複数の画像情報のそれぞれに含まれる前記識別情報に対応して新たな一つの識別情報を生成し、当該識別情報が記録された符号画像を生成する第１の生成処理過程と、
前記取得処理過程により取得された複数の前記画像情報のそれぞれから元の前記符号画像を消去する消去処理過程と、
前記消去処理過程により前記符号画像が消去された後の複数の前記画像情報を結合し前記第１の生成処理過程により生成された符号画像を含む一つの画像情報を生成する第２の生成処理過程と、
前記第２の生成処理過程により生成された前記一つの画像情報と前記複数の画像情報との対応関係を示す情報を記憶手段に記憶させる記憶処理過程と、
をコンピュータに実行させることを特徴とする画像処理プログラム。
【発明の詳細な説明】
【技術分野】
【０００１】
本発明は、画像通信装置、画像伝送システム、画像処理プログラムに関するものである。
【背景技術】
【０００２】
一方の機器から他方の機器へネットワークを介して画像を伝送するシステムがある。例えば、スキャナで画像を読み取り、その読み取った画像をネットワークを介してプリンタへ伝送するシステムが挙げられる。
【０００３】
このようなシステムとしては、特許文献１に記載されたものが知られている。
【先行技術文献】
【特許文献】
【０００４】
【特許文献１】特開２００４−２４２０２７号公報
【発明の概要】
【発明が解決しようとする課題】
【０００５】
本発明は、複数の画像情報を取得した場合に当該複数の画像情報に対応する画像が形成される記録媒体の量を抑制することのできる画像通信装置、画像伝送システム、画像処理装置を提供することを目的とする。
【課題を解決するための手段】
【０００６】
上記課題を解決するため、請求項１に記載の本発明の画像通信装置は、画像を一意に特定する識別情報と画像の返信先を示す情報とが記録された符号画像を含む画像情報を送信する一つ以上の他の画像通信装置から送信される複数の前記画像情報を取得する取得手段と、前記複数の画像情報から前記符号画像を消去するとともに、前記複数の画像情報のそれぞれの識別情報に対応する新たな一つの識別情報が記録された符号画像を含み前記複数の画像情報を結合した一つの画像情報を生成する生成手段と、を有することを特徴とする。
【０００７】
請求項２に記載の発明は、上記請求項１に記載の発明において、前記生成手段は、前記複数の画像情報のそれぞれに含まれる前記識別情報に対応して新たな一つの識別情報を生成し、当該識別情報が記録された符号画像を生成する第１の生成手段と、前記複数の画像情報のそれぞれから元の前記符号画像を消去する消去手段と、前記消去手段によって前記符号画像が消去された後の前記複数の画像情報を結合し前記第１の生成手段によって生成された符号画像を含む一つの画像情報を生成する第２の生成手段と、を有することを特徴とする。
【０００８】
請求項３に記載の発明は、上記請求項２に記載の発明において、前記第２の生成手段によって生成され前記一つの画像情報と前記複数の画像情報との対応関係を示す情報を記憶する記憶手段、を更に有し、前記第２の生成手段は、前記第１の生成手段によって生成された前記識別情報と、前記複数の画像情報のそれぞれに対応する元の前記識別情報と、前記複数の画像情報のそれぞれに対応する前記画像の返信先を示す情報と、前記一つの画像情報における前記複数の画像情報のそれぞれの範囲を示す情報とを、前記対応関係を示す情報として前記記憶手段に記憶する、ことを特徴とする。
【０００９】
請求項４に記載の発明は、上記請求項２に記載の発明において、前記第２の生成手段によって生成され前記一つの画像情報と前記複数の画像情報との対応関係を示す情報を記憶する記憶手段、を更に有し、前記生成手段は、前記複数の画像情報を解析し重複する項目を検出する検出手段と、前記検出手段によって検出された重複する項目にかかわる同一の項目に関し一つの項目のみを残し他の項目については削除する削除手段と、を更に有し、前記第２の生成手段は、前記第１の生成手段によって生成された前記識別情報と、前記複数の画像情報のそれぞれに対応する元の前記識別情報と、前記複数の画像情報のそれぞれに対応する前記画像の返信先を示す情報と、前記一つの画像情報における前記複数の画像情報のそれぞれの範囲を示す情報および前記検出手段によって検出された重複する項目の位置を示す情報とを、前記対応関係を示す情報として前記記憶手段に記憶する、ことを特徴とする。
【００１０】
請求項５に記載の発明は、上記請求項２〜４の何れか一項に記載の発明において、前記第２の生成手段によって生成された前記一つの画像情報に基づいて記録媒体に画像を形成し、当該記録媒体を出力する出力手段と、前記出力手段から出力された後に入力情報が記述された記録媒体の画像を取り込んで得られる画像情報を、前記記憶手段の記憶内容を基に前記複数の画像情報に対応しこれらの元の前記識別情報が記録された符号画像を含む複数の画像情報に分割する分割手段と、前記分割手段によって分割された複数の画像情報をそれぞれに対応する返信先へ送信する送信手段と、を更に有することを特徴とする。
【００１１】
上記課題を解決するため、請求項６に記載の本発明の画像伝送システムは、画像を一意に特定する識別情報と画像の返信先を示す情報とが記録された符号画像を含む画像情報を送信する一つ以上の第１の画像通信装置と、前記一つ以上の第１の画像通信装置から送信される複数の前記画像情報を取得し予め定められる情報処理を実行する請求項１から請求項５の何れか一項に記載の画像通信装置としての第２の画像通信装置と、を有することを特徴とする。
【００１２】
上記課題を解決するため、請求項７に記載の本発明の画像処理プログラムは、通信回線を介して接続される一つ以上の画像通信装置から送信され、画像を一意に特定する識別情報と画像の返信先を示す情報とが記録された符号画像を含む複数の画像情報を取得する取得処理過程と、前記取得処理過程により取得された前記複数の画像情報のそれぞれに含まれる前記識別情報に対応して新たな一つの識別情報を生成し、当該識別情報が記録された符号画像を生成する第１の生成処理過程と、前記取得処理過程により取得された複数の前記画像情報のそれぞれから元の前記符号画像を消去する消去処理過程と、前記消去処理過程により前記符号画像が消去された後の複数の前記画像情報を結合し前記第１の生成処理過程により生成された符号画像を含む一つの画像情報を生成する第２の生成処理過程と、前記第２の生成処理過程により生成された前記一つの画像情報と前記複数の画像情報との対応関係を示す情報を記憶手段に記憶させる記憶処理過程と、をコンピュータに実行させることを特徴とする。
【発明の効果】
【００１３】
請求項１記載の発明によれば、複数の画像情報を取得した場合に当該複数の画像情報に対応する画像が形成される記録媒体の量を抑制することができる。
【００１４】
請求項２記載の発明によれば、複数の画像情報を取得した側で当該複数の画像情報の返信先が特定されることを防止し、かつ当該複数の画像情報に対応する画像が形成される記録媒体の量を抑制することができる。
【００１５】
請求項３記載の発明によれば、複数の画像情報とこれらを結合した一つの画像情報との対応関係を認識し管理することができる。
【００１６】
請求項４記載の発明によれば、複数の画像情報に重複する項目が存在する場合に、当該複数の画像情報を結合した一つの画像情報に対応する画像が形成される記録媒体の量を、重複する項目にかかわる同一の項目に関し一つの項目のみを残し他の項目については削除する処理を実施しない場合に比較して、より一層抑制することができる。
【００１７】
請求項５記載の発明によれば、複数の画像情報を結合した一つの画像情報を元の複数の画像情報に対応する複数の画像情報に分割し、これらの画像情報を返信先へ送信することができる。
【００１８】
請求項６記載の発明によれば、複数の画像情報を取得した場合に当該複数の画像情報に対応する画像が形成される記録媒体の量を抑制することができる。
【００１９】
請求項７記載の発明によれば、複数の画像情報を取得した場合に当該複数の画像情報に対応する画像が形成される記録媒体の量を抑制させるソフトウェアを提供することができる。
【図面の簡単な説明】
【００２０】
【図１】実施の形態に係わる画像伝送システムの構成を示す構成図である。
【図２】実施の形態に係わる第１の画像通信装置としての画像入出力装置の機能を示すブロック図である。
【図３】実施の形態に係わる第２の画像通信装置としての画像入出力装置の機能を示すブロック図である。
【図４】実施の形態に係わる第１の画像通信装置としての画像入出力装置による文書配信処理の処理手順を示すフローチャートである。
【図５】実施の形態に係わる第２の画像通信装置としての画像入出力装置による文書配布処理の処理手順を示すフローチャートである。
【図６】実施の形態に係わる第２の画像通信装置としての画像入出力装置による文書回収処理の処理手順を示すフローチャートである。
【図７】実施の形態に係わる第１の画像通信装置としての画像入出力装置による文書出力処理の処理手順を示すフローチャートである。
【図８】実施の形態に係わる画像伝送システムによる文書配信処理および文書配布処理を説明する図である。
【図９】実施の形態に係わる第１の画像通信装置としての複数の画像入出力装置により取り込まれる文書の一例を示す図である。
【図１０】実施の形態に係わる第１の画像通信装置としての複数の画像入出力装置の管理テーブル記憶部に記憶される管理テーブルの一例を示す図である。
【図１１】実施の形態に係わる第２の画像通信装置としての画像入出力装置の管理テーブル記憶部に記憶される管理テーブルの一例を示す図である。
【図１２】実施の形態に係わる第２の画像通信装置としての画像入出力装置の管理テーブル記憶部に記憶される管理テーブルの他の例を示す図である。
【図１３】実施の形態に係わる画像伝送システムによる文書配布処理での結合処理の処理過程の様子を示す図である。
【図１４】実施の形態に係わる画像伝送システムによる文書配布処理での結合処理の処理結果の様子を示す図である。
【図１５】実施の形態に係わる画像伝送システムによる文書配布処理での第１の結合処理を説明する図である。
【図１６】実施の形態に係わる画像伝送システムによる文書配布処理での第２の結合処理を説明する図である。
【図１７】実施の形態に係わる画像伝送システムによる文書配布処理での第３の結合処理を説明する図である。
【図１８】実施の形態に係わる画像伝送システムによる文書回収処理および文書出力処理を説明する図である。
【図１９】実施の形態に係わる第２の画像通信装置としての画像入出力装置により取り込まれる文書の一例を示す図である。
【図２０】実施の形態に係わる第２の画像通信装置としての画像入出力装置による文書回収処理での分割処理の処理途中の複数の文書の一例を示す図である。
【図２１】実施の形態に係わる第２の画像通信装置としての画像入出力装置による文書回収処理での分割処理の処理結果である複数の文書の一例を示す図である。
【図２２】実施の形態に係わる第１の画像通信装置としての複数の画像入出力装置による文書出力処理での印刷処理の結果である出力文書の一例を示す図である。
【図２３】実施の形態に係わる第２の画像通信装置としての画像入出力装置のハードウェア構成を示す図である。
【発明を実施するための形態】
【００２１】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２２】
実施の形態に係わる画像伝送システムについて説明する。
【００２３】
画像伝送システム１０は、図１に示すように、画像入出力装置１００＃１、画像入出力装置１００＃２、画像入出力装置１００＃３、画像入出力装置２００がネットワーク（インターネット）など公共通信回線２０を介して接続されている。
【００２４】
画像入出力装置１００＃１、画像入出力装置１００＃２、画像入出力装置１００＃３、および画像入出力装置２００にはそれぞれ、装置のネットワーク上の位置（画像データの送信元や宛先）を特定するアドレス情報が割り当てられる。アドレス情報は、たとえば、装置固有に与えられた管理番号（装置ＩＤ）、ネットワーク上のＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレスなど、ネットワーク上で各装置１００＃１，１００＃２，１００＃，２００を一意に特定し得るものであればよい。
【００２５】
次に、第１の画像通信装置としての画像入出力装置１００＃１の機能構成について、図２を参照して説明する。なお、第１の画像通信装置としての画像入出力装置１００＃２，１００＃３も画像入出力装置１００＃１と同様の機能構成になっている。
【００２６】
画像入出力装置１００＃１は、図２に示すように、画像読取部１１１、幾何学コード抽出部１１２、幾何学コード解析部１１３、識別情報処理部１１４、管理テーブル記憶部１１５、幾何学コード消去部１１６、幾何学コード生成部１１７、画像編集部１１８、通信インタフェース部１１９、送信部１２０、受信部１２１および画像出力部１２２を有している。
【００２７】
画像読取部１１１は、文書（原稿）の画像を光学的読み取り手段で読み取る。画像読取装置１１１は、スキャナ装置で構成される。
【００２８】
幾何学コード抽出部１１２は、文書（画像情報）に添付されている幾何学コードを抽出する。
【００２９】
幾何学コード解析部１１３は、幾何学コードを解析して文書の送信先や返信先（送信元と同じでもよい）を示すアドレスを取得する。
【００３０】
識別情報処理部１１４は、文書を一意に特定する新規の識別情報（ユニークＩＤ）を作成し、この文書の識別情報やアドレスを管理テーブル格納部１１５を利用して管理する。
【００３１】
管理テーブル記憶部１１５は、文書の識別情報とアドレスとを対応付けた管理テーブルを記憶する。
【００３２】
幾何学コード消去部１１６は、文書に添付されている幾何学コードを消去する。
【００３３】
幾何学コード生成部１１７は、文書の識別情報やアドレスなどの情報を含む幾何学コードを生成する。
【００３４】
画像編集部１１８は、文書の画像データを編集する。詳しくは、画像編集部１１８は、幾何学コード消去部１１６により幾何学コードが消去された文書を生成するとともに、幾何学コード生成部１１７で新たに生成された幾何学コードを使用して、文書中の幾何学コードが示す送信先や返信先の情報をその幾何学コードから取り除いた後の文書の画像を生成する。
【００３５】
通信インタフェース部１１９は、公共通信回線２０を介して他の装置と通信を行なうためのインタフェース機能を有する。
【００３６】
送信部１２０は、画像編集部１１８から受け取った情報を通信インタフェース部１１９を介して他の装置へ送る。
【００３７】
受信部１２１は、画像入出力装置２００から送信された文書を通信インタフェース部１１９を介して受信する。
【００３８】
画像出力部１２２は、画像編集部１１８から供給される文書の画像データに基づき文書を出力する。画像出力部１２２は、例えば印刷装置や表示装置が該当する。出力媒体としては表示媒体（たとえば陰極線管表示装置や液晶表示装置など）や記録媒体（用紙やＯＨＰフィルムなど）の何れでもよい。
【００３９】
次に、第２の画像通信装置としての画像入出力装置２００の機能構成について、図３を参照して説明する。
【００４０】
画像入出力装置２００は、画像読取部２１１、幾何学コード抽出部２１２、幾何学コード解析部２１３、テーブル登録部２１４、管理テーブル記憶部２１５、識別情報生成部２１６、幾何学コード消去部２１７、画像記憶装置２１８、通信インタフェース部２１９、受信部２２０、送信部２２１、時計部２２２、レイアウト情報生成部２２３、文書生成処理部２２４、幾何学コード生成部２２５、画像編集部２２６および画像出力部２２７を有している。
【００４１】
画像読取部２１１は、文書（原稿）の画像を光学的読み取り手段で読み取る。画像読取装置２１１は、スキャナ装置で構成される。
【００４２】
幾何学コード抽出部２１２は、文書（画像情報）に添付されている幾何学コードを抽出する。
【００４３】
幾何学コード解析部２１３は、幾何学コードを解析して文書の送信先や返信先（送信元と同じでもよい）を示すアドレスを取得する。
【００４４】
テーブル登録部２１４は、予め定められた一定時間ｔの間に取得された複数の画像情報の中の幾何学コードに含まれる情報を識別情報ＵＩＤ−Ｘに関連付けて管理テーブル記憶部２１５の管理テーブルＸに登録する。
【００４５】
具体的には、テーブル登録部２１４は、管理テーブル記憶部２１５内の管理テーブルＸに、識別情報生成部２１６により作成された識別情報ＵＩＤ−Ｘと識別情報ＵＩＤ−ｎ、返信先アドレスｎおよび受信画像情報とを関連付けて登録する。受信画像情報は、ページ数および画像データの有効範囲を含むものであり、例えば開始ページのページ情報および範囲の先頭の座標（Ｘ，Ｙ）、最終ページのページ情報および画像範囲の最終の座標（Ｘ，Ｙ）を含んでいる。
【００４６】
管理テーブル記憶部２１５は、識別情報ＵＩＤ−Ｘと識別情報ＵＩＤ−ｎ、返信先アドレスｎおよび受信画像情報とを関連付けた管理テーブルＸを記憶する。
【００４７】
識別情報生成部２１６は、予め定められた一定時間ｔ毎に新規の識別情報（ユニークＩＤ）を作成し、この文書の識別情報を管理テーブル格納部２１５の管理テーブルＸに登録する。
【００４８】
幾何学コード消去部２１７は、文書に添付されている幾何学コードを消去するものであり、具体的には、文書の配布処理のときに各文書から識別情報ＵＩＤ−ｎおよび返信先（送信元）装置のアドレスｎを含む幾何学コードを消去するとともに、文書の回収処理のときに結合文書から識別情報ＵＩＤ−Ｘおよびページ番号を含む幾何学コードを消去する。
【００４９】
画像記憶装置２１８は、受信部２２０が受信した画像情報を記憶する。
【００５０】
通信インタフェース部２１９は、公共通信回線２０を介して他の装置と通信を行なうためのインタフェース機能を有する。
【００５１】
受信部２２０は、画像入出力装置１００＃１、画像入出力装置１００＃２、画像入出力装置１００＃３から送信された文書を通信インタフェース部２１９を介して受信する。
【００５２】
送信部２２１は、画像編集部２２６から受け取った情報を通信インタフェース部２１９を介して他の装置へ送る。
【００５３】
時計部２２２は、時間を計測（タイマーカウント）する。
【００５４】
レイアウト情報生成部２２３は、文書の配布処理のときに、識別情報ＵＩＤ−Ｘに対応する全ての画像情報を基に配布文書レイアウトを決定するとともに、管理テーブル記憶部２１５内の管理テーブルＸにそのレイアウト情報を識別情報ＵＩＤ−ｎに対応付けて格納する。
【００５５】
文書生成処理部２２４は、文書の配布処理のときに、識別情報ＵＩＤ−Ｘに関連付けられた全ての画像情報を読み出しながら、各画像の文書レイアウト情報に基づき配布文書（配布用文書）として全画像を配置するとともに、文書の回収処理のときに、識別情報ＵＩＤ−Ｘに対応する配布文書レイアウト情報に基づき、スキャン文書から各文書を抽出し、これら抽出した各文書を受信画像レイアウト情報に基づき新規の画像に配置する。
【００５６】
幾何学コード生成部２２５は、文書の配布処理のときに識別情報ＵＩＤ−Ｘおよびページ番号を含む幾何学コードを生成するとともに、文書の回収処理のときに識別情報ＵＩＤ−ｎおよび自装置のアドレスＸを含む幾何学コードを生成する。
【００５７】
画像編集部２２６は、文書の画像データを編集する。詳しくは、画像編集部２２６は、文書の配布処理のときに、識別情報ＵＩＤ−Ｘおよびページ番号を含む幾何学コードを配布文書の各ページの余白部に書き込むとともに、文書の回収処理のときに識別情報ＵＩＤ−ｎおよび自装置のアドレスＸを含む幾何学コードを１ページ目の幾何学コードが消去された位置に書き込む。
【００５８】
画像出力部２２７は、画像編集部２２６から供給される文書の画像データに基づき文書を出力する。画像出力部２２７は、例えば印刷装置で構成される。出力媒体としては記録媒体（用紙など）が挙げられる。
【００５９】
実施の形態において、幾何学コード抽出部２１２は取得手段の機能を有し、幾何学コード消去部２１７および文書生成処理部２２４は生成手段の機能を有し、識別情報生成部２１６は第１の生成手段の機能を有し、幾何学コード消去部２１７は消去手段の機能を有し、文書生成処理部２２４は第２の生成手段、削除手段および分割手段の各機能を有し、レイアウト情報生成部２２３は検出手段の機能を有し、画像出力部２２７は出力手段の機能を有し、送信部２２１は送信手段の機能を有し、管理テーブル記憶部２１５（あるいは管理テーブルＸ）は記憶手段の機能を有する。
【００６０】
なお、実施の形態では、第１の画像入出力装置から送信される複数の文書（画像情報）を受信（取得）するのは受信部２２０であるが、当該複数の文書（画像情報）に対する幾何学コードの抽出、解析、消去など予め定められた情報処理を実行するために、当該複数の文書（画像情報）を最初に取得する幾何学コード抽出部２１２が取得手段の機能を果たすものとしている。
【００６１】
上述した画像伝送システム１０による文書（画像情報）の伝送処理を説明するに際し、（１）第１の画像入出力装置すなわち画像入出力装置１００＃１、画像入出力装置１００＃２、画像入出力装置１００＃３による画像入出力装置２００への文書の配信処理（文書配信処理）、（２）画像入出力装置２００による複数の文書に対応する結合文書（配布文書）の配布処理（文書配布処理）、（３）画像入出力装置２００による入力情報が記述された配布文書の回収処理（文書回収処理）、（４）画像入出力装置１００＃１、画像入出力装置１００＃２、画像入出力装置１００＃３による文書の出力処理（文書出力処理）に分けて説明する。
【００６２】
最初に、第１の画像入出力装置による文書配信処理について、図４を参照して説明する。
【００６３】
この例では、第１の画像入出力装置としての画像入出力装置１００＃１（画像入出力装置Ａ）による文書配信処理について説明する。なお、第１の画像入出力装置としての画像入出力装置１００＃２，１００＃３（画像入出力装置Ｂ，Ｃ）も画像入出力装置１００＃１と同様の文書配信処理を実施する。
【００６４】
前提条件として、１文書（一つの文書）の取り込み（スキャン）については、幾何学コードは１文書中の何ページ目にあってもよいが、１文書（１回の取り込み）につき複数の異なる幾何学コードの使用は禁止とする。
【００６５】
画像入出力装置１００＃１では、画像読取部１１１は、幾何学コードが添付されている１文書（一つの文書）を読み取り、文書（電子データ）を幾何学コード抽出部１１２に渡す（ステップＳ１０１）。
【００６６】
幾何学コード抽出部１１２は、幾何学コードを抽出しこの抽出した結果および文書を幾何学コード解析部１１３に渡す（ステップＳ１０２）。
【００６７】
幾何学コード解析部１１３は、幾何学コードを解析することで、文書の送信先アドレス例えば画像入出力装置２００（画像入出力装置Ｘ）など、幾何学コードが示している情報を取得する（ステップＳ１０３）。
【００６８】
幾何学コード解析部１１３は、複数の幾何学コードを検出したか否かを判断し（ステップＳ１０４）、この判断した結果、複数の幾何学コードを検出した場合には異常としてこの処理を終了し、一方、一つの幾何学コードを検出した場合は、正常に幾何学コードを検出した旨および文書を識別情報処理部１１４へ通知する。
【００６９】
識別情報処理部１１４は、正常に幾何学コードを検出した旨を受け取った場合に、画像読取部２１１が読み取った文書を一意に特定する新規の識別情報（ユニークＩＤ）例えば識別情報ＵＩＤ−Ａを作成し、その文書に前記作成した新規の識別情報ＵＩＤ−Ａを割り当てる（ステップＳ１０５）。
【００７０】
識別情報処理部１１４は、管理テーブル格納部１１５の管理テーブルに、上記作成した識別情報ＵＩＤ−Ａと送信先アドレス情報（画像入出力装置２００宛の情報）を関連付けて記憶する（ステップＳ１０６）。
【００７１】
なお、識別情報処理部１１４は、管理テーブル格納部１１５の管理テーブルＡに、識別情報ＵＩＤ−Ａと送信先アドレス情報と当該識別情報ＵＩＤ−Ａに対応する画像情報が印刷処理済みであるか否かを示す情報とを関連付けて記憶するようにしてもよい。
【００７２】
幾何学コード消去部１１６は、画像読取部１１１が読み取った文書の中の幾何学コードを消去し、幾何学コードが消去された文書を画像編集部１１８に渡す（ステップＳ１０７）。
【００７３】
幾何学コード生成部１１７は、識別情報処理部１１４により生成された識別情報ＵＩＤ−Ａ、自装置のアドレス（返信先のアドレス）、送信先のアドレスのうち少なくとも識別情報ＵＩＤ−Ａ、自装置のアドレス（返信先のアドレス）を含ませた新しい幾何学コードを生成し、この新しい幾何学コードおよび文書を手画像編集部１１８に渡す（ステップＳ１０８）。
【００７４】
画像編集部１１８は、幾何学コード消去部１１６により幾何学コードが消去された配信用の文書における幾何学コード消去部１１６により消去された幾何学コードが配置されていた位置（幾何学コード消去位置）または当該文書の余白部位に、幾何学コード生成部１１７により生成された新しい幾何学コードを追加し（埋め込み）、当該配信用の文書を送信部１２０に渡す（ステップＳ１０９）。
【００７５】
送信部１２０は、渡された配信用の文書を画像入出力装置２００に向けて送信する（ステップＳ１１０）。
【００７６】
次に、第２の画像入出力装置による文書配布処理について、図５を参照して説明する。
【００７７】
なお、図５において、ｎは画像入出力装置Ａ、画像入出力装置Ｂ、および画像入出力装置Ｃに対応する。例えば、ＵＩＤ−ｎは、ＵＩＤ−Ａ、ＵＩＤ−Ｂ、またはＵＩＤ−Ｃを示す。
【００７８】
第２の画像入出力装置としての画像入出力装置２００では、識別情報生成部２１６は、一定時間ｔ毎に新規の識別情報（ユニークＩＤ）例えば識別情報ＵＩＤ−Ｘを作成する（ステップＳ２０１）。
【００７９】
時計部２２２は、一定時間ｔを経過したか否かを判断し（ステップＳ２０２）、この判断した結果、一定時間ｔを経過していない場合は、時間を計測（タイマーカウント）する。
【００８０】
ステップＳ２０２において時計部２２２によって一定時間ｔを経過していないと判断された場合、受信部２２０は、第１の画像入出力装置（画像入出力装置１００＃１，１００＃２，１００＃３）から文書（画像情報）を受信したか否かを判断する（ステップＳ２０３）。
【００８１】
ステップＳ２０３において受信部２２０によって文書（画像情報）を受信していないと判断された場合は、ステップＳ２０２に移行する。つまり、受信部２２０はその文書を受信するまで待機する。
【００８２】
受信部２２０は、ステップＳ２０３において文書を受信したと判断した場合は、その文書（画像情報）を幾何学コード抽出部２１２に渡す。
【００８３】
幾何学コード抽出部２１２は、渡された文書（画像情報）から幾何学コードを抽出し、この幾何学コードおよび文書（画像情報）を幾何学コード解析部２１３に渡す。
【００８４】
幾何学コード解析部２１３は、幾何学コードを解析することで、識別情報ＵＩＤ−ｎを取得し、テーブル登録部２１４を通じて前記識別情報ＵＩＤ−ｎが登録済みであるか否かを判断する（ステップＳ２０４）。
【００８５】
ステップＳ２０４において幾何学コード解析部２１３によって識別情報ＵＩＤ−ｎが登録済みであると判断された場合は、ステップＳ２０２に移行する。
【００８６】
幾何学コード解析部２１３は、ステップＳ２０４において識別情報ＵＩＤ−ｎは未登録であると判断した場合は、文書（画像情報）の中の幾何学コードを解析することで、その幾何学コードから返信先アドレス（画像入出力装置Ａ，Ｂ，Ｃに対応する宛先）を取得し、識別情報ＵＩＤ−ｎ、返信先アドレスおよび文書（画像情報）をテーブル登録部２１４に渡す。
【００８７】
テーブル登録部２１４は、文書（画像情報）から画像処理により各種の受信画像情報（ページ数や画像データの有効範囲）を取得するとともに、管理テーブル２１５の管理テーブルＸに識別情報ＵＩＤ−Ｘと、識別情報ＵＩＤ−ｎ、返信先アドレスｎ、受信画像情報を関連付けて登録する（ステップＳ２０５）。また、テーブル登録部２１４は、文書（画像情報）を幾何学コード消去部２１７に渡す。
【００８８】
受信画像情報は、例えば開始ページのページ情報および画像範囲の先頭の座標（Ｘ，Ｙ）、最終ページのページ情報および画像範囲の最終の座標（Ｘ，Ｙ）を含んでいる。
【００８９】
幾何学コード消去部２１７は、文書（画像情報）中の幾何学コードを画像処理により消去し（ステップＳ２０６）、幾何学コードを消去した文書（画像情報）を画像記憶装置２１８に記憶する（ステップＳ２０７）。
【００９０】
ステップＳ２０７が終了した場合、ステップＳ２０２に移行する。この場合、ステップＳ２０１で作成された識別情報ＵＩＤ−Ｘは変更されず（新たな識別情報ＵＩＤ−Ｘが作成されることなく）、時計部２２２は、タイマーをリセット（タイマーカウント値をリセット）する。
【００９１】
ステップＳ２０２において時計部２２２によって一定時間ｔを経過したと判断された場合、レイアウト情報生成部２２３は、管理テーブル記憶部２１５の管理テーブルＸを参照して、受信した文書（画像情報）があるか否かを判断する（ステップＳ２０８）。
【００９２】
ここで、管理テーブル記憶部２１５の管理テーブルＸに識別情報ＵＩＤ−ｎが登録されている場合は、受信した文書（画像情報）があると判断される。
【００９３】
ステップＳ２０８において、レイアウト情報生成部２２３によって受信した文書（画像情報）がないと判断された場合は、ステップＳ２０２に移行する。
【００９４】
レイアウト情報生成部２２３は、ステップＳ２０８において、受信した文書（画像情報）があると判断した場合は、識別情報ＵＩＤ−Ｘに対応する全ての画像情報を基に配布文書レイアウトを決定し、管理テーブル記憶部２１５の管理テーブルＸに前記決定した配布文書レイアウト情報を識別情報ＵＩＤ−ｎに対応付けて記憶する（ステップＳ２０９）。
【００９５】
具体的には、レイアウト情報生成部２２３は、全ての画像情報の受信画像情報に基づいて、画像解析により重複項目を検出することにより重複項目の画像上の配置位置を取得するとともに、前記検出した重複項目にかかわる同一の項目に関し１つの項目を残し他の項目は削除するべく、新たに配布文書に配置する場所（配布文書レイアウト情報）を決定し、さらに、管理テーブル記憶部２１５の管理テーブルＸに配布文書レイアウト情報と重複項目の配置位置情報とを識別情報ＵＩＤ−ｎに関連付けて登録する。
【００９６】
配布文書レイアウト情報の決定方法としては、例えば、（１）複数のページを１枚の用紙にまとめて出力（Ｎ−ｕｐ）する印刷（以下「Ｎ−ｕｐ印刷」という。）に対応する方法、（２）複数のページの内容を詰めて用紙に出力する印刷（以下「ページ詰め印刷」という。）に対応する方法、（３）複数のページの内容について重複項目にかかわる同一の項目に関し一つの項目以外の項目の削除およびページの内容を詰めて出力する印刷（以下「重複項目削除＆ページ詰め印刷」という。）に対応する方法の全ての方法を適用する場合と、一部の方法（一つまたは二つの方法）を適用する場合がある。
【００９７】
上記「Ｎ−ｕｐ印刷」、上記「ページ詰め印刷」あるいは上記「重複項目削除＆ページ詰め印刷」の何れの印刷方式を採用するかは、画像入出力装置２００の管理者や担当者によって予め設定されるようになっている。
【００９８】
文書生成処理部２２４は、管理テーブル記憶部２１５の管理テーブルＸに登録されている識別情報ＵＩＤ−Ｘに関連付けられた全ての画像情報を画像記録装置２１８から読み出すとともに、前記管理テーブルＸから配布文書レイアウト情報を読み出し、さらに各画像の配布文書レイアウト情報に基づき配布文書として全画像を配置する（ステップＳ２１０）。
【００９９】
すなわち、文書生成処理部２２４は、複数の文書（画像情報）の配布文書レイアウト情報に基づき当該複数の画像情報を結合し、新規に一つの文書（結合文書）を生成する。この一つの文書（結合文書）が配布文書となる。
【０１００】
幾何学コード生成部２２５は、識別情報ＵＩＤ−Ｘおよびページ番号を含ませた新規の幾何学コードを生成する（ステップＳ２１１）。
【０１０１】
画像編集部２２６は、幾何学コード生成部２２５によって生成された新規の幾何学コード（識別情報ＵＩＤ−Ｘおよびページ番号を含む幾何学コード）を配布文書の各ページの余白部に書き込み（ステップＳ２１２）、当該配布文書を画像出力部２２７へ出力する。
【０１０２】
画像出力部２２７は、画像編集部２２６から供給される配布文書の画像情報に基づき記録媒体（例えば用紙）に画像を形成し、当該記録媒体を出力する（ステップＳ２１３）。
【０１０３】
このようにして出力された配布文書（印刷物）は、少なくとも配布に必要な部数だけ印刷され出力され、例えば担当者によって配布先としてのユーザに配布される。
【０１０４】
そして、ユーザは、配布された配布文書（印刷物）が例えばアンケート用の配布文書（印刷物）であった場合、その配布文書（印刷物）に入力情報（問い合わせに対する回答の内容）を記述し、その後、入力情報が記述された配布文書（印刷物）を例えば担当者に渡す。
【０１０５】
なお、ステップＳ２０４において幾何学コード解析部２１３によってＵＩＤ−ｎが登録済みであると判断された場合（ステップＳ２０４「ＹＥＳ」の場合）、ステップＳ２０５〜Ｓ２０７の処理が完了していることを意味する。すなわち、配布文書が印刷されていることを意味する。これは、第１の画像入出力装置から再度同一の文書が送られてきた場合に、重複して配布されるのは防ぐ趣旨である。
【０１０６】
続いて、第２の画像入出力装置による文書回収処理について、図６を参照して説明する。
【０１０７】
なお、図５において、ｎは画像入出力装置Ａ、画像入出力装置Ｂ、および画像入出力装置Ｃに対応する。例えば、ＵＩＤ−ｎは、ＵＩＤ−Ａ、ＵＩＤ−Ｂ、またはＵＩＤ−Ｃを示す。
【０１０８】
画像入出力装置２００では、画像読取部２１１は、幾何学コードが添付されている回収した文書を読み取り、読み取った画像情報を画像記憶装置２１８に記憶するとともに幾何学コード抽出部２１２に渡す（ステップＳ３０１）。
【０１０９】
幾何学コード抽出部２１２は、画像情報の各ページ中の幾何学コードを順番に抽出し、抽出した各ページ順の幾何学コードおよび画像情報を幾何学コード解析部２１３に渡す（ステップＳ３０２）。
【０１１０】
幾何学コード解析部２１３は、画像情報の各ページ順の幾何学コードを解析することで、幾何学コードが示している情報（ここでは識別情報ＵＩＤ−Ｘおよびページ番号）を取得する（ステップＳ３０３）。
【０１１１】
幾何学コード解析部２１３は、取得した全ページ番号と配布文書レイアウト情報とに基づき、全ページが揃っているか否かを判断し（ステップＳ３０４）、この判断した結果、全ページが揃っている場合（全ページが取り込まれている場合）は、テーブル登録部２１４を通じて管理テーブル記憶部２１５の管理テーブルＸを参照して、上記取得した識別情報ＵＩＤ−Ｘが返信処理済みの画像情報に対応する識別情報ＵＩＤ−Ｘであるか否かを判断する（ステップＳ３０５）。
【０１１２】
幾何学コード解析部２１３は、ステップＳ３０５において、上記取得した識別情報ＵＩＤ−Ｘが返信処理済みの画像情報に対応する識別情報ＵＩＤ−Ｘではないと判断した場合は、取り込まれた画像情報を幾何学消去部２１７に渡す。
【０１１３】
幾何学コード消去部２１７は、渡された画像情報（取り込まれた画像情報）から幾何学コードを消去し、その幾何学コードを消去した画像情報を文書生成処理部２２４に渡す（ステップＳ３０６）。
【０１１４】
文書生成処理部２２４は、識別情報ＵＩＤ−Ｘに対応する配布文書レイアウト情報に基づきスキャン文書から各文書（元の各文書に対応する各文書）を抽出するとともに、抽出した各文書を、受信画像レイアウト情報に基づき新規の画像に配置する（ステップＳ３０７）。
【０１１５】
すなわち、文書生成処理部２２４は、識別情報ＵＩＤ−Ｘに対応する配布文書レイアウト情報および重複情報で指示される範囲の画像情報を、渡された画像情報（取り込まれた画像情報）から抽出するとともに、抽出した各画像情報を、受信画像レイアウト情報および重複項目情報で指示される元の場所に画像情報を再構築する。この場合、一つの文書（配布文書）は元の複数の文書（入力情報が記述されていない文書）に対応する複数の文書（入力情報が記述された文書）に分割される。
【０１１６】
文書生成処理部２２４は、識別情報ＵＩＤ−Ｘに対応する識別情報ＵＩＤ−ｎおよび返信先アドレスを管理テーブル記憶部２１５の管理テーブルＸから取得する（ステップＳ３０８）。
【０１１７】
幾何学コード生成部２２５は、上記取得された識別情報ＵＩＤ−ｎ、自装置のアドレス情報（送信元のアドレス情報）、および返信先のアドレス情報のうち少なくとも識別情報ＵＩＤ−ｎを含ませた幾何学コードを生成する（ステップＳ３０９）。この場合、再構築された複数の画像情報のそれぞれに対応して新規の幾何学コードが生成される。
【０１１８】
画像編集部２２６は、文書レイアウト処理部２２４によって再構築された画像情報毎に、幾何学コード生成部２２５によって生成された新規の幾何学コードを、文書レイアウト処理部２２４によって再構築された画像情報の１ページ目の余白部位に埋め込み（ステップＳ３１０）、各画像情報およびこれらに対応する返信先アドレス情報ｎを送信部２２１に出力する。
【０１１９】
送信部２１１は、返信先アドレス情報毎の画像情報を、返信先アドレスの返信先（第１の画像入出力装置）に送信する（ステップＳ３１１）。
【０１２０】
また、送信部２１１は、画像情報を送信した場合は、その旨および返信先アドレスをテーブル登録部２１４に通知する。テーブル登録部２１４は、その通知の内容に基づいて管理テーブル記憶部２１５の管理テーブルＸに返信処理済みである旨を登録する。
【０１２１】
なお、ステップＳ３０４において、全ページが揃っていない場合（全ページが取り込まれていない場合）、この処理を終了する。
【０１２２】
また、ステップＳ３０５において、取得された識別情報ＵＩＤ−Ｘが返信処理済みの画像情報に対応する識別情報ＵＩＤ−Ｘであると判断された場合は、ステップＳ３０６〜Ｓ３１１の処理が完了していることを意味するので、画像入出力装置２００はこの処理を終了する。これは、返信元（会社側画像入出力装置）へ同一文書が重複して返信されるのを防ぐ趣旨である。
【０１２３】
最後に、第１の画像入出力装置による文書出力処理について、図７を参照して説明する。
【０１２４】
この例では、第１の画像入出力装置としての画像入出力装置１００＃１（画像入出力装置Ａ）による文書出力処理について説明する。なお、第１の画像入出力装置としての画像入出力装置１００＃２，１００＃３（画像入出力装置Ｂ，Ｃ）も画像入出力装置１００＃１と同様の文書出力処理を実施する。
【０１２５】
画像入出力装置１００＃１（画像入出力装置Ａ）では、受信部１２１は、画像入出力装置２００からの画像情報を受信したか否かを判断し（ステップＳ４０１）、この判断した結果、画像情報を受信していない場合には画像情報を受信するまで待機し、一方、画像情報を受信した場合は、その受信した画像情報を幾何学コード抽出部１１２に渡す。
【０１２６】
幾何学コード抽出部１１２は、受け取った画像情報から幾何学コードを抽出し、この抽出した幾何学コードおよび画像情報を幾何学コード解析部１１３に渡す（ステップＳ４０２）。
【０１２７】
幾何学コード解析部１１３は、渡された幾何学コードを解析して、その幾何学コードで示される情報（例えば識別情報ＵＩＤ−Ａなど）を取得し（ステップＳ４０３）、取得した識別情報ＵＩＤ−Ａを識別情報処理部１１４に渡す。
【０１２８】
識別情報処理部１１４は、管理テーブル記憶部１１５の管理テーブルＡを参照して、渡された識別情報ＵＩＤ−Ａが印刷処理済みの画像情報に対応する識別情報ＵＩＤ−Ａであるか否かを判断する（ステップＳ４０４）。
【０１２９】
識別情報処理部１１４は、ステップＳ４０４において、渡された識別情報ＵＩＤ−Ａが印刷処理済みの画像情報に対応する識別情報ＵＩＤ−Ａではないと判断した場合は、予め定められている識別情報（ユニークＩＤ）を消去するか否かを示す情報を基に、識別情報（ユニークＩＤ）を消去するか否かを判断する（ステップＳ４０５）。
【０１３０】
識別情報処理部１１４は、ステップＳ４０５において、識別情報（ユニークＩＤ）を消去しない旨を示す情報が予め定められているので、識別情報（ユニークＩＤ）を消去しないと判断した場合は、幾何学コードは識別情報（ユニークＩＤ）のみであるか否かを判断する（ステップＳ４０６）。
【０１３１】
識別情報処理部１１４は、ステップＳ４０６において、幾何学コードには識別情報ＵＩＤ−Ａに加えて、識別情報ＵＩＤ−Ａ以外の情報（例えば返信先アドレス情報など）も含まれているので、幾何学コードは識別情報（ユニークＩＤ）のみではないと判断した場合は、幾何学コードは識別情報（ユニークＩＤ）のみではない旨および画像情報（受信された画像情報）を幾何学コード消去部１１６に出力する。
【０１３２】
幾何学コード消去部１１６は、画像情報（受信された画像情報）の中の幾何学コードを画像処理により消去し、幾何学コードを消去した画像情報を幾何学コード生成部１１７に渡す（ステップＳ４０７）。
【０１３３】
幾何学コード生成部１１７は、識別情報ＵＩＤ−Ａのみを含ませた幾何学コードを生成し、この生成した幾何学コードおよび幾何学コード消去部１１６からの画像情報を画像編集部１１８に渡す
【０１３４】
画像編集部１１８は、幾何学コード生成部１１７からの幾何学コードを、幾何学コード生成部１１７からの画像情報の幾何学コードの消去箇所または余白部位に埋め込み、幾何学コードが埋め込まれた画像情報を画像出力部１２２へ出力する（ステップＳ４０８）。
【０１３５】
画像出力部１２２は、受け取った画像情報に基づき画像を記録媒体（例えば用紙）に形成（印刷）する（ステップＳ４０９）。
【０１３６】
このようにして画像情報に基づき画像形成（印刷）が終了した場合、識別情報処理部１１４は、管理テーブル記憶部１１５の管理テーブルＡにおいて、識別情報ＵＩＤ−Ａに対応して印刷処理済みである旨を記録する（ステップＳ４１０）。
【０１３７】
ステップＳ４０６において、識別情報処理部１１４によって幾何学コードは識別情報（ユニークＩＤ）のみであると判断された判断した場合、ステップＳ４０９に移行する。
【０１３８】
識別情報処理部１１４は、ステップＳ４０５において、識別情報（ユニークＩＤ）を消去する旨を示す情報が予め定められているので、識別情報（ユニークＩＤ）を消去すると判断した場合（幾何学コードを埋め込んで印刷しないと判断した場合）は、識別情報（ユニークＩＤ）を消去すべき旨および幾何学コード解析部１１３からの画像情報を幾何学コード消去部１１６に出力する。
【０１３９】
幾何学コード消去部１１６は、識別情報（ユニークＩＤ）を消去すべき旨を受け取った場合に、識別情報処理部１１４からの画像情報の中の幾何学コードを画像処理により消去する（ステップＳ４１１）。
【０１４０】
ステップＳ４１１が終了した場合は、ステップＳ４０９に移行する。この場合、幾何学コード消去部１１６は、幾何学コードを消去した文書を、文書生成処理部２２４、幾何学コード生成部２２５および画像編集部２２６を介して、画像出力部２２７に向けて出力する。なお、文書生成処理部２２４、幾何学コード生成部２２５および画像編集部２２６では文書に対する処理は行わず、受け取った文書を次の要素へ渡す。
【０１４１】
ステップＳ４０４において、識別情報処理部１１４によって、識別情報ＵＩＤ−Ａが印刷処理済みの画像情報に対応する識別情報ＵＩＤ−Ａであると判断された場合、ステップＳ４０７〜Ｓ４１０の処理が完了していることを意味するので、画像入出力装置１００＃１（画像入出力装置Ａ）は、この処理を終了する。これは、返信元（第２の画像入出力装置２００）から再度同一の文書が送られてきた場合に、重複して印刷するのを防ぐ趣旨である。
【０１４２】
次に、上述した画像伝送システム１０による文書の伝送処理について、具体例を挙げて詳細に説明する。
【０１４３】
この例では、図１に示した画像伝送システム１０において、第１の画像通信装置としての画像入出力装置１００＃１，１００＃２，１００＃３のそれぞれから、第２の画像通信力装置としての画像入出力装置２００へ文書の画像データを送信し、画像入出力装置２００側にて複数の文書データを結合した結合文書（配布文書）データに基づく文書を配布し、その後に回収して、その回収した文書を読み取って画像入出力装置１００＃１，１００＃２，１００＃３のそれぞれへ配信する事例について説明する。典型的には、会社側で作成したアンケート原本を代行会社に送信し、代行会社にてアンケートの配布と回収を行ない、回収したアンケート用紙を会社側へ送る場合である。
【０１４４】
ここでは、第１の画像通信装置としての画像入出力装置１００＃１、画像入出力装置１００＃２および画像入出力装置１００＃３をそれぞれ画像入出力装置Ａ、画像入出力装置Ｂおよび画像入出力装置Ｃと表記する。また、第２の画像通信装置としての画像入出力装置２００を画像入出力装置Ｘと表記する。
【０１４５】
図１に示す例では、上記各画像入出力装置のネットワーク上の位置を特定するアドレスとして、画像入出力装置Ａには「ｈｔｔｐ：／／１９２．１６８．１．１１」が割り当てられ、画像入出力装置Ｂには「ａｄｍｉｎ＠ｈｏｇｅｈｏｇｅ．ｎｅｔ」が割り当てられ、画像入出力装置Ｃには「ｆｔｐ：／／１９２．１６８．３．３３」が割り当てられ、画像入出力装置Ｘには「ｈｔｔｐ：／／１９２．１６８．２．２２」、「ｆｔｐ：／／１９２．１６８．２．２２」および「ｕｓｅｒ＠ｓａｍｐｌｅ．ｎｅｔ」が割り当てられている。
【０１４６】
図１に示した画像伝送システム１０による文書配信処理および文書配布処理について、図８を参照して説明する。
【０１４７】
画像入出力装置Ａ、画像入出力装置Ｂおよび画像入出力装置Ｃのそれぞれに取り込まれる文書（文書原本＝原稿：アンケート用紙とする）の一例を、図９に示す。
【０１４８】
図９（ａ）は画像入出力装置Ａに取り込まれる文書原本ａ（１ページ分の文書）の一例を示し、図９（ｂ）は画像入出力装置Ｂに取り込まれる文書原本ｂ（３ページ分の文書）の一例を示し、図９（ｃ）は画像入出力装置Ｃに取り込まれる文書原本ｃ（２ページ分の文書）の一例を示す。
【０１４９】
文書原本ａ、文書原本ｂおよび文書原本ｃには、アンケート用の文章の他に、送信先である画像入出力装置Ｘのアドレスを含む幾何学コード（図中の●）が記入されている。幾何学コードを記入する位置は、画像入出力装置Ｘに送信すべき文書原本の一部（例えば余白部）とするのがよい。
【０１５０】
図８に示すように、画像入出力装置Ａでは、画像読取部１１１は、幾何学コードに画像入出力装置Ｘのアドレスが含まれた文書原本ａを読み取り（Ｓ１１）、文書を幾何学コード抽出部１１２に渡す。
【０１５１】
幾何学コード抽出部１１２は、幾何学コードを抽出し幾何学コード解析部１１３に渡す。幾何学コード解析部１１３は、幾何学コードを解析することで、文書の送信先アドレス（この例では画像入出力装置Ｘ宛の情報）を取得する。識別情報処理部１１４は、画像読取部１１１が読み取った文書を一意に特定する新規の識別情報ＵＩＤ−Ａを作成し、その文書に識別情報ＵＩＤ−Ａを割り当てる。識別情報処理部１１４は、管理テーブル格納部１１５の管理テーブルＡに、作成した識別情報ＵＩＤ−Ａと送信先アドレス情報（画像入出力装置Ｘ宛の情報）を関連付けて記憶する（Ｓ１２）。
【０１５２】
幾何学コード消去部１１６は、画像読取部１１１が読み取った文書中の幾何学コードを消去し（Ｓ１３）、幾何学コードが消去された文書を画像編集部１１８に渡す。幾何学コード生成部１１７は、自装置のアドレスを含ませた新しい幾何学コードを生成して画像編集部１１８に渡す。ここで新たに生成する幾何学コードは、少なくとも識別情報ＵＩＤ−Ａと返信先（送信元の画像入出力装置Ａ）のアドレスを含むものとし、送信先（画像入出力装置Ｘ）のアドレスを含めるか否かは任意とする。
【０１５３】
画像編集部１１８は、幾何学コード消去部１１６により幾何学コードが消去された文書に、幾何学コード生成部１１７により生成された新しい幾何学コードを追加し（書き加えて）（Ｓ１４）、新しい幾何学コードが追加された文書を送信部１２０に渡す。
【０１５４】
送信部１２０は、その新しい幾何学コード（図中の○）が追加された文書ａ＃を画像入出力装置Ｘに向けて送信する（Ｓ１５）。なお、このときの送信プロトコルは、たとえばＨＴＴＰ（Ｈｙｐｅｒ  Ｔｅｘｔ  Ｔｒａｎｓｆｅｒ  Ｐｒｏｔｏｃｏｌ）を使用する。
【０１５５】
また、画像入出力装置Ｂにおいても、幾何学コードに画像入出力装置Ｘのアドレスが含まれた文書原本ｂを読み取り（Ｓ２１）、その後、Ｓ１２〜Ｓ１５の処理と同様の処理を実行する。これにより、画像入出力装置Ｂでは、送信部１２０は、新しい幾何学コード（図中の□）が追加された文書ｂ＃を画像入出力装置Ｘに向けて送信する（Ｓ２５）。なお、このときの送信プロトコルは、たとえばＳＭＴＰ（Ｓｉｍｐｌｅ  Ｍａｉｌ  Ｔｒａｎｓｆｅｒ  Ｐｒｏｔｏｃｏｌ）を使用する。
【０１５６】
さらに、画像入出力装置Ｃにおいても、幾何学コードに画像入出力装置Ｘのアドレスが含まれた文書原本ｃを読み取り（Ｓ３１）、その後、Ｓ１２〜Ｓ１５の処理と同様の処理を実行する。これにより、画像入出力装置Ｃでは、送信部１２０は、新しい幾何学コード（図中の△）が追加された文書ｃ＃を画像入出力装置Ｘに向けて送信する（Ｓ３５）。なお、このときの送信プロトコルは、たとえばＦＴＰ（Ｆｉｌｅ  Ｔｒａｎｓｆｅｒ  Ｐｒｏｔｏｃｏｌ）を使用する。
【０１５７】
ここで、識別情報ＵＩＤ−ｎ（ＵＩＤ−Ａ、ＵＩＤ−Ｂ、ＵＩＤ−Ｃ）と送信先アドレス情報とが関連付けられて登録される管理テーブルの一例を図１０に示す。
【０１５８】
図１０（ａ）は画像入出力装置Ａの管理テーブル記憶部１１５に記憶される管理テーブルＡを示し、図１０（ｂ）は画像入出力装置Ｂの管理テーブル記憶部１１５に記憶される管理テーブルＢを示し、図１０（ｃ）は画像入出力装置Ｃの管理テーブル記憶部１１５に記憶される管理テーブルＣを示す。
【０１５９】
図１０に示す例では、管理テーブルＡ、管理テーブルＢおよび管理テーブルＣは、文書の識別情報ＵＩＤ−ｎと送信先アドレス（画像入出力装置Ｘ宛）と画像入出力装置Ｘから回収した文書を印刷処理済みであるか否かを示す情報（未は印刷未処理を示す）とが対応付けられている。
【０１６０】
画像入出力装置Ｘでは、識別情報生成部２１６は、一定時間ｔ毎に新規の識別情報（ユニークＩＤ）つまり識別情報ＵＩＤ−Ｘを作成する。
【０１６１】
受信部２２０は、画像入出力装置Ａ、画像入出力装置Ｂ、または画像入出力装置Ｃからの文書を受信するまで待機する。受信部２２０は、識別情報ＵＩＤ−Ａと返信先（送信元の画像入出力装置Ａ）のアドレスとを有する幾何学コード（図中の○）を含む文書ａ＃を受信すると、その文書ａ＃を幾何学コード抽出部２１２に渡す。
【０１６２】
幾何学コード抽出部２１２は、文書ａ＃から幾何学コードを抽出し、この幾何学コードおよび文書（画像情報）を幾何学コード解析部２１３に渡す。
【０１６３】
幾何学コード解析部２１３は、幾何学コードを解析することで、その幾何学コードから識別情報ＵＩＤ−Ａを取得し、この識別情報ＵＩＤ−Ａが管理テーブル記憶部２１５の管理テーブルＸに未登録の場合は、さらに文書ａ＃の中の幾何学コードを解析し、その幾何学コードから返信先アドレス（画像入出力装置Ａに対応する宛先）を取得し、識別情報ＵＩＤ−Ａ、返信先アドレスおよび文書（画像情報）をテーブル登録部２１４に渡す。
【０１６４】
テーブル登録部２１４は、文書ａ＃から画像処理により各種の受信画像情報（ページ数や画像データの有効範囲）を取得するとともに、管理テーブル記憶部２１５の管理テーブルＸに識別情報ＵＩＤ−Ｘと、識別情報ＵＩＤ−Ａ、返信先アドレス、受信画像情報を関連付けて登録する（Ｓ４１）。また、テーブル登録部２１４は、文書ａ＃を幾何学コード消去部２１７に渡す。
【０１６５】
幾何学コード消去部２１７は、文書ａ＃の中の幾何学コードを画像処理により消去し（Ｓ４２）、幾何学コードを消去した文書ａ＃を画像記憶装置２１８に記憶する。
【０１６６】
ところで、画像入出力装置Ｘでは、受信部２２０が、一定期間ｔの間に、識別情報ＵＩＤ−Ｂと返信先（送信元の画像入出力装置Ｂ）のアドレスとを有する幾何学コード（図中の□）を含む文書ｂ＃、および識別情報ＵＩＤ−Ｃと返信先（送信元の画像入出力装置Ｃ）のアドレスとを有する幾何学コード（図中の△）を含む文書ｃ＃を受信した場合、上記文書ａ＃の場合でのＳ１２〜Ｓ１５の処理と同様の処理を実行する。
【０１６７】
そして、一定時間ｔの間に、文書ａ＃、文書ｂ＃および文書ｃ＃が受信され、幾何学コードが消去された文書ａ＃、文書ｂ＃および文書ｃ＃が画像記憶装置２１８に記憶されている場合、レイアウト情報生成部２２３は、識別情報ＵＩＤ−Ｘに対応する全ての画像情報を基に配布文書レイアウトを決定し、管理テーブル記憶部２１５の管理テーブルＸに前記決定した配布文書レイアウト情報を識別情報ＵＩＤ−Ａ、識別情報ＵＩＤ−Ｂおよび識別情報ＵＩＤ−Ｃに対応付けて記憶する（Ｓ４３）。
【０１６８】
具体的には、レイアウト情報生成部２２３は、全ての画像情報の受信画像情報に基づいて、画像解析により重複項目を検出することにより重複項目の画像上の配置位置を取得するとともに、前記検出した重複項目にかかわる同一の項目に関し１つの項目を残し他の項目は削除するべく、新たに配布文書に配置する場所（配布文書レイアウト情報）を決定し、さらに、管理テーブル記憶部２１５の管理テーブルＸに配布文書レイアウト情報と重複項目の配置位置情報とを識別情報ＵＩＤ−ｎ（識別情報ＵＩＤ−Ａ、識別情報ＵＩＤ−Ｂおよび識別情報ＵＩＤ−Ｃ）に関連付けて登録する。
【０１６９】
文書生成処理部２２４は、管理テーブル記憶部２１５の管理テーブルＸに登録されている識別情報ＵＩＤ−Ｘに関連付けられた全ての画像情報を画像記録装置２１８から読み出すとともに、前記管理テーブルＸから配布文書レイアウト情報を読み出し、さらに各画像の配布文書レイアウト情報に基づき配布文書として全画像を配置する。
【０１７０】
すなわち、文書生成処理部２２４は、複数の文書（画像情報）の配布文書レイアウト情報に基づき当該複数の画像情報を結合し、新規に一つの文書（結合文書）を生成する。この一つの文書（結合文書）が配布文書となる。
【０１７１】
幾何学コード生成部２２５は、識別情報ＵＩＤ−Ｘおよびページ番号を含ませた新規の幾何学コード（識別情報ＵＩＤ−Ｘおよびページ番号を含む幾何学コード）を生成する。
【０１７２】
画像編集部２２６は、幾何学コード生成部２２５によって生成された新規の幾何学コード（図中の▲ｐ）を配布文書の各ページの余白部に書き込み（Ｓ４４）、当該配布文書ｘを画像出力部２２７へ出力する。
【０１７３】
なお、幾何学コード（図中の▲ｐ）は、実際には幾何学コード（▲）のみで、ページ番号を示す「ｐ」は説明用のために表示しているものであり、表示（記入）されない。
【０１７４】
画像出力部２２７は、画像編集部２２６から供給される配布文書ｘを用紙に印刷する（Ｓ４５）。画像入出力装置Ｘの使用者は、印刷された文書（印刷物）を配布する（Ｓ４６）。印刷文書（アンケート用紙）が配布されると、その印刷文書への書込みや編集が行なわれる。
【０１７５】
ここで、画像入出力装置Ｘの管理テーブル記憶部２１５に記憶されている管理テーブルＸの一例を、図１１および図１２に示す。
【０１７６】
図１１に示す管理テーブルＸは、上記「Ｎ−ｕｐ印刷」の場合に適用される管理テーブルを示す。この管理テーブルＸは、識別情報ＵＩＤ−Ｘと、識別情報ＵＩＤ−ｎ、返信先アドレス、受信画像レイアウト、配布文書レイアウトおよび返信情報と、が対応付けられている。
【０１７７】
Ｘ００１０は識別情報ＵＩＤ−Ｘを示す。識別情報ＵＩＤ−ｎにおいて、Ａ００８７は識別情報ＵＩＤ−Ａを示し、Ｂ０５１２は識別情報ＵＩＤ−Ｂを示し、Ｃ１０２４は識別情報ＵＩＤ−Ｃを示す。
【０１７８】
返信先アドレスにおいて、「ｈｔｔｐ：／／１９２．１６８．１．１１」は返信先としての画像入出力装置Ａに対応する返信先アドレスを示し、「ａｄｍｉｎ＠ｈｏｇｅｈｏｇｅ．ｎｅｔ」は返信先としての画像入出力装置Ｂに対応する返信先アドレスを示し、「ｆｔｐ：／／１９２．１６８．３．３３」は返信先としての画像入出力装置Ｃに対応する返信先アドレスを示す。
【０１７９】
受信画像レイアウトは、「ｐａｇｅ（ページ）：ｓｉｚｅ（サイズ）」情報で表現され、ｐａｇｅ（ページ）は文書のページ数を示し、ｓｉｚｅ（サイズ）は用紙情報（サイズ、両面など）を示す。例えば「１：Ａ４」の場合、「１」は文書のページ数が「１」であることを示し、「Ａ４」は用紙サイズがＡ４であることを示す。
【０１８０】
配布文書レイアウトは、「Ｎ−ｕｐ−ｐａｇｅ：ｐｏｓｉｔｉｏｎ」情報で表現され、Ｎ−ｕｐはＮ−ｕｐ数（１枚の用紙に何ページを出力するかを示す数）を示し、ｐａｇｅはページ番号を示し、ｐｏｓｉｔｉｏｎは該当するページの配置場所（２−ｕｐの場合Ｌ＝左、Ｒ＝右）を示す。例えば「２−１：Ｌ」の場合、「２」はＮ−ｕｐ数が２（１枚の用紙に２ページを出力することを意味する数＝２）を示し、「１」は１ページを示すページ番号＝１を示し、「Ｌ」はページ番号１のページの配置場所は左であることを示す。
【０１８１】
返信情報は、返信先に対する回答文書の返信が済みであるか否かを示す情報であり、「未」は未返信を示す。
【０１８２】
図１２に示す管理テーブルＸは、上記「ページ詰め印刷」あるいは上記「重複項目削除＆ページ詰め印刷」の場合に適用される管理テーブルを示す。この管理テーブルＸは、識別情報ＵＩＤ−Ｘと、識別情報ＵＩＤ−ｎ、返信先アドレス、受信画像レイアウト、配布文書レイアウト、重複情報および返信情報と、が対応付けられている。
【０１８３】
受信画像レイアウトおよび受信画像レイアウトは、「Ｐ１：［Ｘ１，Ｙ１］−Ｐ２：［Ｘ２，Ｙ２］」情報で表現され、Ｐ１は開始ページのページ番号を示し、［Ｘ１，Ｙ１］は画像範囲の先頭の座標（Ｘ，Ｙ）を示し、Ｐ２は最終ページのページ番号を示し、［Ｘ２，Ｙ２］は画像範囲の最終の座標（Ｘ，Ｙ）を示す。例えば「１：［０，０］−３：［２００，１００］」の場合、「１：［０，０］」における「１」は開始ページのページ番号が１であることを示し、［０，０］は画像範囲の先頭の座標（Ｘ，Ｙ）が（０，０）であることを示し、「３：［２００，１００］」における「３」は最終ページのページ番号が３であることを示し、［２００，１００］は画像範囲の最終の座標（Ｘ，Ｙ）が（２００，１００）であることを示す。
【０１８４】
重複情報は、「Ｎｏ」および「重複項目の位置」の情報で表現される。「Ｎｏ」は重複項目の採番を示し、○付き数字はデータ参照元であることを示す。「重複項目の位置」は重複項目の画像中の位置を示し、その位置の表現形式はレイアウト（受信画像レイアウトおよび受信画像レイアウト）と同じ形式である。［元］はオリジナル画像上の重複項目の位置情報を示し、［配］は出力画像上の重複項目の位置情報または参照元情報を示す。
【０１８５】
なお、識別情報ＵＩＤ−Ｘ、識別情報ＵＩＤ−ｎ、返信先アドレスおよび受信画像レイアウトは、文書配布処理のときにテーブル登録部２１４によって登録され、配布文書レイアウトおよび重複情報は文書配布処理のときにレイアウト情報生成部２２３によって登録される。ちなみに、返信情報は、文書回収処理のときにテーブル登録部２１４によって登録される。
【０１８６】
上記Ｓ４４で生成される配布文書ｘの結合処理の処理経過の様子を図１３に示す。この配布文書ｘの内容は、配布文書レイアウト情報の決定方法が上記「Ｎ−ｕｐ印刷」に対応する方法、上記「ページ詰め印刷」に対応する方法および上記「重複項目削除＆ページ詰め印刷」に対応する方法の全ての方法を適用する場合を採用したときに得られる文書内容であり、かつ重複項目について削除されていない状態の文書内容である。
【０１８７】
ちなみに、この例では、重複項目は、「年齢」の項目および記入欄（図中の下線に対応する部分）と、「メールアドレス」の項目および記入欄（図中の下線に対応する部分）の２つの項目である。
【０１８８】
上記Ｓ４４で生成される配布文書ｘの結合処理の処理結果の様子を図１４に示す。すなわち、この配布文書ｘの内容は、図１３に示す配布文書ｘの状態から、重複項目にかかわる同一の重複項目に関し一つの項目を残し他の項目を削除した状態の文書内容である。そのため、図１４に示す例では、図１３に示す例の場合に比較して、用紙（記録媒体）の枚数（量）が抑制される。
【０１８９】
配布文書レイアウト情報の決定方法として上記「Ｎ−ｕｐ印刷」に対応する方法を適用した場合の複数の文書の結合処理（第１の結合処理）の様子を図１５に示す。この例では、２ページを１枚の用紙に出力する印刷＝「２−ｕｐ印刷」を例にして説明する。
【０１９０】
図１５に示すように、図８に示す１ページ分の文書ａ＃、３ページ分の文書ｂ＃および２ページ分の文書ｃ＃は、２ページが１枚の用紙に出力されるべく結合処理が実施されて、３ページ分の配布文書ｘに変更される。すなわち、複数の文書に対する結合処理が実施された場合は、結合処理が実施されない場合に比較して、用紙（記録媒体）の枚数（量）が抑制される。
【０１９１】
また、配布文書レイアウト情報の決定方法として上記「ページ詰め印刷」に対応する方法を適用した場合の複数の文書の結合処理（第２の結合処理）の様子を図１６に示す。
【０１９２】
図１６に示すように、図８に示す１ページ分の文書ａ＃、３ページ分の文書ｂ＃および２ページ分の文書ｃ＃は、ページの内容がページ詰めされるべく結合処理が実施されて、４ページ分の配布文書ｘに変更される。すなわち、複数の文書に対する結合処理が実施された場合は、結合処理が実施されない場合に比較して、用紙の枚数が抑制される。
【０１９３】
さらに、上配布文書レイアウト情報の決定方法として上記「重複項目削除＆ページ詰め印刷」に対応する方法を適用した場合の複数の文書の結合処理（第３の結合処理）の様子を図１７に示す。なお、図１７の文書の内容は、図１６に示す文書の内容と同じであるとする。
【０１９４】
図１７に示すように、図８に示す１ページ分の文書ａ＃、３ページ分の文書ｂ＃および２ページ分の文書ｃ＃は、ページの内容がページ詰めされ重複項目が削除されるべく結合処理が実施されて、３ページ分の配布文書ｘに変更される。複数の文書に対する結合処理が実施された場合は、結合処理が実施されない場合に比較して、用紙の枚数が抑制され、しかも図１６に示す例での結合処理が実施される場合に比較して、用紙の枚数が抑制される。
【０１９５】
次に、図１に示した画像伝送システム１０による文書回収処理および文書出力処理について、図１８を参照して説明する。
【０１９６】
画像入出力装置２００では、画像読取部２１１は、幾何学コードが添付されている回収された回収文書ｘ＃（編集された印刷文書＝印刷物）を読み取り（Ｓ５１）、読み取った回収文書ｘ＃を画像記憶装置２１８に記憶するとともに（Ｓ５２）幾何学コード抽出部２１２に渡す。
【０１９７】
ここで、画像読取部２１１によって読み取られた回収文書ｘ＃は、図１９に示す内容であるとする。
【０１９８】
幾何学コード抽出部２１２は、画像情報の各ページ中の幾何学コードを順番に抽出し、抽出した各ページ順の幾何学コードおよび画像情報を幾何学コード解析部２１３に渡す。
【０１９９】
幾何学コード解析部２１３は、画像情報の各ページ順の幾何学コードを解析することで、幾何学コードが示している情報（ここでは識別情報ＵＩＤ−Ｘおよびページ番号）を取得する。
【０２００】
幾何学コード解析部２１３は、取得した全ページ番号と配布文書レイアウト情報とに基づき全ページが揃っていると判断し、また管理テーブル記憶部２１５の管理テーブルＸを参照して、上記取得した識別情報ＵＩＤ−Ｘが返信処理済みの画像情報に対応する識別情報ＵＩＤ−Ｘではないと判断した場合は、取り込まれた回収文書ｘ＃を幾何学コード消去部２１７に渡す。
【０２０１】
幾何学コード消去部２１７は、渡された回収文書ｘ＃から幾何学コードを消去し、その幾何学コードを消去した回収文書ｘ＃を文書生成処理部２２４に渡す。
【０２０２】
文書生成処理部２２４は、識別情報ＵＩＤ−Ｘに対応する配布文書レイアウト情報に基づきスキャン文書から各文書（元の各文書に対応する各文書）を抽出するとともに、抽出した各文書を、受信画像レイアウト情報に基づき新規の画像に配置する。
【０２０３】
すなわち、文書生成処理部２２４は、識別情報ＵＩＤ−Ｘに対応する配布文書レイアウト情報および重複情報で指示される範囲の画像情報を、渡された画像情報（取り込まれた画像情報）から抽出するとともに、抽出した各画像情報を、受信画像レイアウト情報および重複項目の位置情報で指示された元の場所に画像情報を再構築する。この場合、一つの文書（配布文書）は元の複数の文書（入力情報が記述されていない文書）に対応する複数の文書（入力情報が記述された文書）に分割される。
【０２０４】
ここで、文書生成処理部２２４によって回収文書ｘ＃が複数に分割された後の複数の文書（再構築された複数の文書）は、図２０（ａ）、（ｂ）、（ｃ）に示すように、文書ｘ＃−１、文書ｘ＃−２、文書ｘ＃−３となる。
【０２０５】
文書生成処理部２２４は、識別情報ＵＩＤ−Ｘに対応する識別情報ＵＩＤ−ｎおよび返信先アドレスを管理テーブル記憶部２１５の管理テーブルＸから取得する（Ｓ５３）。
【０２０６】
幾何学コード生成部２２５は、上記取得された識別情報ＵＩＤ−ｎ、自装置のアドレス情報（送信元のアドレス情報）、および返信先のアドレス情報のうち少なくとも識別情報ＵＩＤ−ｎを含ませた幾何学コードを生成する。
【０２０７】
画像編集部２２６は、文書レイアウト処理部２２４によって再構築された画像情報毎に、幾何学コード生成部２２５によって生成された新規の幾何学コードを、文書レイアウト処理部２２４によって再構築された画像情報の１ページ目の余白部位に埋め込む（Ｓ５４，Ｓ５５，Ｓ５６）。
【０２０８】
これにより、回収文書ｘ＃は、文書ａに対応する文書α、文書ｂに対応する文書β、文書ｃに対応する文書γの３つに分割される。文書αには識別情報ＵＩＤ−Ａを有する幾何学コード（図中の■）が埋め込まれ、文書βには識別情報ＵＩＤ−Ｂを有する幾何学コード（図中の★）が埋め込まれ、文書γには識別情報ＵＩＤ−Ｃを有する幾何学コード（図中の◎）が埋め込まれる。
【０２０９】
すなわち、画像編集部２２６によって新規の幾何学コードが埋め込まれた複数の文書は、図２１（ａ）、（ｂ）、（ｃ）に示すように、文書α、文書β、文書γとなる。なお、文書α、文書βおよび文書γは文書ｘ＃−１、文書ｘ＃−２および文書ｘ＃−３に対応するものである。
【０２１０】
画像編集部２２６は、文書α、文書β、文書γおよびこれらに対応する返信先アドレスを送信部２２１に出力する。
【０２１１】
送信部２１１は、返信先アドレス情報毎の文書α、文書β、文書γを、それぞれの返信先アドレスの返信先（画像入出力装置Ａ、画像入出力装置Ｂ、画像入出力装置Ｃ）に送信する（Ｓ５７，Ｓ５８，Ｓ５９）。
【０２１２】
画像入出力装置Ａでは、受信部１２１は、幾何学コード抽出部１１２は、受信部１２１が受信した文書αから幾何学コードを抽出し、この抽出した幾何学コードおよび画像情報を幾何学コード解析部１１３に渡す。
【０２１３】
幾何学コード解析部１１３は、渡された幾何学コードを解析して、その幾何学コードで示される情報（例えば識別情報ＵＩＤ−Ａなど）を取得し、取得した識別情報ＵＩＤ−Ａを識別情報処理部１１４に渡す。
【０２１４】
識別情報処理部１１４は、管理テーブル記憶部１１５の管理テーブルＡを参照して（Ｓ６１）、渡された識別情報ＵＩＤ−Ａが印刷処理済みの文書に対応する識別情報ＵＩＤ−Ａではなく、また識別情報（ユニークＩＤ）を消去する旨が予め定められているので識別情報（ユニークＩＤ）を消去すべきと判断した場合は、その旨を幾何学コード消去部１１６へ通知する。
【０２１５】
幾何学コード消去部１１６は、識別情報（ユニークＩＤ）を消去すべき旨を受け取った場合に、識別情報処理部１１４からの画像情報の中の幾何学コードを画像処理により消去し（Ｓ６２）、幾何学コードを消去した文書を、文書生成処理部２２４、幾何学コード生成部２２５および画像編集部２２６を介して、画像出力部２２７に向けて出力する。
【０２１６】
画像出力部１２２は、受け取った文書に基づき印刷処理を実施する（Ｓ６３）。
【０２１７】
画像入出力装置Ｂでは、受信部１２１は、幾何学コード抽出部１１２は、受信部１２１が受信した文書βから幾何学コードを抽出し、この抽出した幾何学コードおよび画像情報を幾何学コード解析部１１３に渡す。
【０２１８】
幾何学コード解析部１１３は、渡された幾何学コードを解析して、その幾何学コードで示される情報（例えば識別情報ＵＩＤ−Ｂなど）を取得し、取得した識別情報ＵＩＤ−Ｂを識別情報処理部１１４に渡す。
【０２１９】
識別情報処理部１１４は、管理テーブル記憶部１１５の管理テーブルを参照して（Ｓ７１）、渡された識別情報ＵＩＤ−Ｂが印刷処理済みの文書に対応する識別情報ＵＩＤ−Ｂではなく、また識別情報（ユニークＩＤ）を消去しない旨が予め定められているので識別情報（ユニークＩＤ）を消去すべきではないと判断した場合は、幾何学コードは識別情報（ユニークＩＤ）のみではない旨をおよび画像情報（受信された画像情報）を幾何学コード消去部１１６に出力する。
【０２２０】
幾何学コード消去部１１６は、文書βの中の幾何学コードを画像処理により消去し（Ｓ７２）、幾何学コードを消去した文書を幾何学コード生成部１１７に渡す。
【０２２１】
幾何学コード生成部１１７は、識別情報ＵＩＤ−Ｂのみを含ませた幾何学コードを生成し、この生成した幾何学コードおよび幾何学コード消去部１１６からの文書を画像編集部１１８に渡す
【０２２２】
画像編集部１１８は、幾何学コード生成部１１７からの幾何学コードを、幾何学コード生成部１１７からの画像情報の幾何学コードの消去箇所または余白部位に埋め込み（Ｓ７３）、幾何学コードが埋め込まれた文書を画像出力部１２２へ出力する。
【０２２３】
画像出力部１２２は、受け取った文書に基づき印刷処理を実施する（Ｓ７４）。
【０２２４】
画像入出力装置Ｃでは、受信部１２１が画像入出力部Ｘからの文書γを受信した場合、画像入出力装置Ａの処理と同様の処理を実施することで、文書γから幾何学コードが消去された文書に基づき印刷処理を実施する（Ｓ８１）。
【０２２５】
ここで、画像入出力装置Ａから印刷された出力文書α、画像入出力装置Ｂから印刷された出力文書β、および画像入出力装置Ｃから印刷された出力文書γは、図２２（ａ）、（ｂ）、（ｃ）に示す内容となる。出力文書αおよび出力文書γは幾何学コードが消去されている。一方、出力文書βには識別情報ＵＩＤ−Ｂを有する幾何学コード（図中の☆）が記入されている。
【０２２６】
次に、第２の画像通信装置としての画像入出力装置２００のハードウェア構成について図２３を参照して説明する。
【０２２７】
画像入出力装置２００は、図２３に示すように、ＣＰＵ１０１、記憶装置１０２、ＲＯＭ１０３、ＲＡＭ１０４、インタフェース１０５〜１０７、通信Ｉ／Ｆ１０８、タイマー２０９、インタフェース１０５に接続された操作パネル１１０、インタフェース１０６に接続されたスキャナ１１１、インタフェース１０７に接続されたプリンタエンジン１１２を有している。これら各構成要素１０１〜１０９はシステムバス１１３に接続されている。
【０２２８】
記憶装置１０２は、例えばハードディスクであり、図３に示した幾何学コード抽出部２１２、幾何学コード解析部２１３、テーブル登録部２１４、識別情報生成部２１６、幾何学コード消去部２１７、レイアウト情報生成部２２３、文書生成処理部２２４、幾何学コード生成部２２５、および画像編集部２２６の各機能を実現するためのソフトウェア（プログラム）、画像処理プログラム１０２Ａなどインストールされた各種のプログラムを記憶している。
【０２２９】
画像処理プログラム１０２Ａは、取得処理過程、第１の生成処理過程、消去処理過程、第２の生成処理過程、および記憶処理過程を含んでいる。幾何学コード抽出部２１２は取得処理過程を実行し、識別情報生成部２１６は第１の生成処理過程を実行し、幾何学コード消去部２１７は消去処理過程を実行し、文書生成処理部２２４は第２の生成処理過程を実行し、レイアウト情報生成部２２３およびテーブル登録部２１４は記憶処理過程を実行する。
【０２３０】
また、記憶装置１０２は、図３に示した画像記憶装置２１８および管理テーブル記憶部２１５の各機能を果たす。
【０２３１】
ＲＯＭ１０３は、読み出し専用メモリであり、外部の装置とのデータ通信を行うための通信プロトコル情報を記憶している。
【０２３２】
ＲＡＭ１０４は、随時書き込み読み出しメモリであり、記憶装置１０２から読み込まれた画像処理プログラム１０２Ａを含むプログラムやデータ、ＲＯＭ１０３から読み込まれた通信プロトコル情報などを記憶する。
【０２３３】
なお、ＲＡＭ１０４および記憶装置１０２は、画像情報（画像データ）の構築処理過程中の情報を記憶する一時記憶装置として使用される。具体的は、幾何学コード抽出部２１２、幾何学コード解析部２１３、テーブル登録部２１４、識別情報生成部２１６、幾何学コード消去部２１７、レイアウト情報生成部２２３、文書生成処理部２２４、幾何学コード生成部２２５、および画像編集部２２６の各構成要素による処理が実行される場合の処理途中の情報が、ＲＡＭ１０８あるいは記憶装置１０２に一時記憶される。
【０２３４】
インタフェース１０５は、データ通信を実行するＣＰＵ（中央演算処理装置）を備えており、操作パネル１１０との通信を行う。操作パネル１１０は、表示情報の表示機能とスキャン指示など入力情報の入力機能とを有する。
【０２３５】
インタフェース１０６は、データ通信を実行するＣＰＵ（中央演算処理装置）を備えており、スキャナ１１１との通信を行う。スキャナ１１１は図３に示した画像読取部２１１の機能を果たす。
【０２３６】
インタフェース１０７は、データ通信を実行するＣＰＵ（中央演算処理装置）を備えており、プリンタエンジン１１２との通信を行う。プリンタエンジン１１２は、図３に示した画像出力部２２７の機能を果たす。
【０２３７】
通信Ｉ／Ｆ１０８は、データ通信を実行するＣＰＵ（中央演算処理装置）を備えており、図３に示した通信インタフェース部２１９、受信部２２０、送信部２２１に対応する。このような通信Ｉ／Ｆ１０８は、ＲＯＭ１０３からＲＡＭ１０４へプロトコル情報を読み込んで実行することにより、公共通信回線２０を介して例えば送信元（返信先）の画像入出力装置とのデータ通信を行う。
【０２３８】
タイマー１０９は図３に示した時計部２２２の機能を果たす。
【０２３９】
ＣＰＵ１０１は、中央演算処理装置であり、記憶装置１０２からＲＡＭ１０４へ、画像処理プログラム１０２Ａを含むプログラムを読み込んで実行することにより、上述した幾何学コード抽出部２１２、幾何学コード解析部２１３、テーブル登録部２１４、識別情報生成部２１６、幾何学コード消去部２１７、レイアウト情報生成部２２３、文書生成処理部２２４、幾何学コード生成部２２５、および画像編集部２２６の各機能を実現するとともに、画像処理プログラム１０２Ａに対応する処理機能を実現する。また、ＣＰＵ１０１は画像入出力装置全体を制御する。
【０２４０】
第１の画像通信装置としての画像入出力装置１００＃１，１００＃２，１００＃３も、画像入出力装置２００と同様のハードウェア構成になっている。なお、この場合、画像処理プログラム１０２Ａおよびタイマー１０９は削除されたものとなる。
【０２４１】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０２４２】
また、プログラムを用いる場合には、ネットワークを介して提供し、或いはＣＤ−ＲＯＭ等の記憶媒体に格納して提供してもよい。
【０２４３】
すなわち、画像処理プログラムを含むプログラムをハードディスク等の記憶装置に記録する場合に限らず、当該プログラムを次のようにして提供してもよい。
【０２４４】
たとえば、プログラムをＲＯＭに格納しておき、ＣＰＵが、このプログラムをこのＲＯＭから主記憶装置へローディングして実行するようにしてもよい。
【０２４５】
また、上記プログラムを、ＤＶＤ−ＲＯＭ、ＣＤ−ＲＯＭ、ＭＯ（光磁気ディスク）、フレキシブルディスク、などのコンピュータ読み取りされる記憶媒体に格納して配布するようにしてもよい。
【０２４６】
さらには、画像通信装置等を通信回線（例えばインターネット）を介してサーバ装置あるいはホストコンピュータと接続するようにし、サーバ装置あるいはホストコンピュータから上記プログラムをダウンロードした後、このプログラムを実行するようにしてもよい。この場合、このプログラムのダウンロード先としては、ＲＡＭ等のメモリやハードディスクなどの記憶装置（記憶媒体）が挙げられる。
【産業上の利用可能性】
【０２４７】
以上の説明では、画像伝送システムを、複数の第１の画像通信装置（画像入出力装置）と一つの第２の画像通信装置（画像入出力装置）とを有する画像伝送システムに適用した場合が示されているが、一つの第１の画像通信装置と一つの第２の画像通信装置とを有し、前記第１の画像通信装置が、一定時間ｔの間に、時系列に複数の文書（画像情報）を前記第２の画像通信装置に向けて送信する画像伝送システムに適用してもよい。
【符号の説明】
【０２４８】
１０  画像伝送システム
２０  公共通信回線
１００＃１，１００＃２，１００＃３，２００  画像入出力装置
１０１  ＣＰＵ
１０２  記憶装置
１０２Ａ  画像処理プログラム
１０３  ＲＯＭ
１０４  ＲＡＭ
１０８  通信Ｉ／Ｆ
１１０  スキャナ
１１１  プリンタエンジン
１１１，２１１  画像読取部
１１２，２１２  幾何学コード抽出部
１１３，２１３  幾何学コード解析部
１１４  識別情報処理部
１１５，２１５  管理テーブル記憶部
１１６，２１７  幾何学コード消去部
１１７，２２５  幾何学コード生成部
１１８，２２６  画像編集部
１１９，２１９  通信インタフェース部
１２０，２２１  送信部
１２１，２２０  受信部
１２２，２２７  画像出力部
２１４  テーブル登録部
２１６  識別情報生成部
２１８  画像記憶装置
２２２  時計部
２２３  レイアウト情報生成部
２２４  文書生成処理部
【図１】
2011061532.tif 000003
【図２】
2011061532.tif 000004
【図３】
2011061532.tif 000005
【図４】
2011061532.tif 000006
【図５】
2011061532.tif 000007
【図６】
2011061532.tif 000008
【図７】
2011061532.tif 000009
【図８】
2011061532.tif 000010
【図９】
2011061532.tif 000011
【図１０】
2011061532.tif 000012
【図１１】
2011061532.tif 000013
【図１２】
2011061532.tif 000014
【図１３】
2011061532.tif 000015
【図１４】
2011061532.tif 000016
【図１５】
2011061532.tif 000017
【図１６】
2011061532.tif 000018
【図１７】
2011061532.tif 000019
【図１８】
2011061532.tif 000020
【図１９】
2011061532.tif 000021
【図２０】
2011061532.tif 000022
【図２１】
2011061532.tif 000023
【図２２】
2011061532.tif 000024
【図２３】
2011061532.tif 000025